(57)【要約】流体ディスペンサであって、流体容器と、流体が投与される投与開口部を少なくとも１つと、容器（１）を投与開口部に接続する流体フィードダクト（１２）であって、入り口と出口とが設けられている、という前記ダクトと、フィードダクトを選択的に閉じるための弁（３１、６１）であって、通路閉位置と通路開位置との間を移動するよう設置された移動弁部材（３１）を有し、当該移動弁部材は、弁軸に沿って並進移動するよう設置されている、という前記弁と、移動弁部材（３１）を通路閉位置と通路開位置との間で移動させるための駆動手段（４）と、を有し、特徴となるのは、駆動手段は、前記弁軸を横切る形で移動することができ、当該駆動手段は、駆動手段に加えられた力を移動弁部材に加えられる横方向の推進力に変換し、この弁部材を通路閉位置の方へ移動させるのに適した力変換手段を有することである、という前記流体ディスペンサ。
2006518275.tif 000002
【特許請求の範囲】
【請求項１】
流体ディスペンサであって、
流体容器（１）と、
流体が投与される投与開口部を少なくとも１つと、
容器（１）を投与開口部に接続する流体フィードダクト（１２）であって、入り口と出口とが設けられている、という前記ダクトと、
フィードダクトを選択的に閉じるための弁（３１、６１）であって、通路閉位置と通路開位置との間を移動するよう設置された移動弁部材（３１）を有し、当該移動弁部材は、弁軸に沿って並進移動するよう設置されている、という前記弁と、
移動弁部材（３１）を通路閉位置と通路開位置との間で移動させるための駆動手段（４）と、を有し、
特徴となるのは、   
駆動手段は、前記弁軸を横切る形で移動することができ、当該駆動手段は、駆動手段に加えられた力を移動弁部材に加えられる横方向の推進力に変換し、この弁部材を通路閉位置の方へ移動させるのに適した力変換手段（３７、４２）を有することである、
という前記流体ディスペンサ。
【請求項２】
移動弁部材は、通路閉位置においてはフィードダクト（１２）の出口に形成された固定弁シート（６１）に耐漏洩様態で受け接触し、通路開位置においては前記シートから離れた状態を保つこと、
を特徴とする請求項１に記載のディスペンサ。
【請求項３】
移動部材は、スプリング手段（３４）によって開位置に弾性的に押しやられること、
を特徴とする請求項１または２に記載のディスペンサ。
【請求項４】
力変換手段はカムシステム（３７、４２）を有すること、
を特徴とする請求項１乃至３のいずれかに記載のディスペンサ。
【請求項５】
カムシステムは、移動部材（３１）に固着されたカム部材（３７）と駆動手段に形成されたカムピース（４２）とを有すること、
を特徴とする請求項４に記載のディスペンサ。
【請求項６】
カムピース（４２）は、並進移動することができ、カム部品に対して横切る形で移動が可能であること、
を特徴とする請求項５に記載のディスペンサ。
【請求項７】
カムピースは、回転移動することができ、カム部品に対して横切る形で移動が可能であること、
を特徴とする請求項５に記載のディスペンサ。
【請求項８】
駆動手段（４）は、ディスペンサの外部からアクセスできる制御部品（４５）をさらに有すること、
を特徴とする請求項１乃至７のいずれかに記載のディスペンサ。
【請求項９】
前記少なくとも１つの投与開口部（２２）の前または後ろにおいて選択的に所定の位置に来て当該開口部を閉じる働きをする閉鎖部材（４６）を有すること、
を特徴とする請求項１乃至８のいずれかに記載のディスペンサ。
【請求項１０】
カムピース（４２）と閉鎖部材（４６）とは、共に移動させられること、
を特徴とする請求項５乃至９のいずれかに記載のディスペンサ。
【請求項１１】
駆動手段（４）は、一体化された単一部品として作られていること、
を特徴とする請求項１乃至１０のいずれかに記載のディスペンサ。
【請求項１２】
移動部材（３１）は支持部品（３）に固着されており、当該支持部品には、流体を滲み込ませることができる多孔性素材の部品（３０）が設置されており、前記部品（３０）は弾性的に押しやられて前記少なくとも１つの投与開口部（２２）と接触すること、
を特徴とする請求項１乃至１１のいずれかに記載のディスペンサ。
【請求項１３】
支持部品（３）には、多孔性素材の部品（３０）を前記少なくとも１つの投与開口部（２２）に押し付けると同時に、移動部材（３１）を通路開位置に押しやる共通スプリング手段（３４）が設けられていること、
を特徴とする請求項１２に記載のディスペンサ。
【請求項１４】
支持部品（３）には、ダクト（１２）の出口を多孔性素材の部品（３０）に接続している出口チャネル（３２）が形成されており、移動部材（３１）は前記チャネル（３２）の内部に設置されていること、
を特徴とする請求項１２または１３に記載のディスペンサ。
【請求項１５】
チャネル（３２）は、移動部材（３１）と多孔性素材の部品（３０）とを移動させることを可能にする弾性変形可能な部分（３４）を有すること、
を特徴とする請求項１４に記載のディスペンサ。
【請求項１６】
支持部品（３）には、固定された形で保持された外周エッジ（３６１）を有する弾性変形可能な隔壁（３６）が設けられており、前記隔壁（３６）は、移動部材（３１）と多孔性素材の部品（３０）とを軸方向に並進移動させること、
を特徴とする請求項１２乃至１５のいずれかに記載のディスペンサ。
【請求項１７】
流体の中に振動を発生させる振動プレート（２）をさらに有し、効果的な構成として、前記プレートは圧電素子によって振動させられること、
を特徴とする請求項１乃至１６のいずれかに記載のディスペンサ。
【請求項１８】
前記少なくとも１つの投与開口部（２２）は、振動プレート（２）を貫通する形で形成されていること、
を特徴とする請求項１７に記載のディスペンサ。
【発明の詳細な説明】
【技術分野】
【０００１】
本発明は、流体容器と、流体が投与される投与開口部を少なくとも１つと、容器を投与開口部に接続する流体フィードダクトと、フィードダクトを選択的に閉じるための弁と、弁を通路閉位置と通路開位置との間で移動させるための駆動手段と、を有する流体ディスペンサに関する。こうしたディスペンサは、特に、香水、化粧品、さらには実に薬品の分野に用いることができる。
【０００２】
さらに詳しく言えば、本発明は、流体の中に振動を発生させ、それによってその流体を投与開口部から投与する、という振動プレートを有するディスペンサに適用される。プレートに振動を開始させるためには、一般的に、振動手段が圧電素子または超音波振動子の形で設けられている。しかし、本発明は、振動プレートを有するこの特定の種類のディスペンサに限定されるわけではない。本発明は、振動プレートを有さない他の種類のディスペンサにも適用できる。
【背景技術】
【０００３】
振動プレートを有するこうした特定の種類のディスペンサは、特許文書FR―２  ８２０  ４０８号により公知である。この文書で説明されているディスペンサは、流体容器、穴の開いた振動プレートを有する投与部材、容器を振動プレートに接続しているフィードダクト、そしてフィードダクトによって形成された通路を開閉するのに適した吸入弁を有する、というものである。その弁は、金属製の球で成り、この球は、スプリングの力でフィードダクトの内部に形成された弁シートに押し付けられている。球をそのシートから離すために電磁気手段が設けられており、当該手段は、球を引き付けてそのシートからはずすことを可能にする。球は、ダクトの内部を軸方向に移動し、駆動手段は電気的に制御される。
【発明の開示】
【発明が解決しようとする課題】
【０００４】
本発明は、完全に機械的であって、弁を持ち上げてそのシートから離すことを可能にする、という駆動手段に本質が存する呼気弁の電気的制御に対し、別の解決方法を提供することを目的とする。
【課題を解決するための手段】
【０００５】
本発明において、流体ディスペンサは、流体容器と、流体が投与される投与開口部を少なくとも１つと、容器を投与開口部に接続する流体フィードダクトであって、入り口と出口とが設けられている、という前記ダクトと、フィードダクトを選択的に閉じるための弁であって、通路閉位置と通路開位置との間を移動するよう設置された移動弁部材を有し、当該移動弁部材は、弁軸に沿って並進移動するよう設置されている、という前記弁と、移動弁部材を通路閉位置と通路開位置との間で移動させるための駆動手段と、を有し、当該駆動手段は、前記弁軸を横切る形で移動するよう設置されており、当該駆動手段は、駆動手段に加えられた力を移動弁部材に加えられる横方向の推進力に変換し、この弁部材を通路閉位置の方へ移動させるのに適した力変換手段を有する。したがって、弁部材は、当該弁部材を横切る形（そして効果的には垂直方向）の力を駆動手段に加えることによって軸方向に移動される。弁部材を移動させることを可能にする本発明の力伝達手段は、フィードダクトの出口の前で弁部材をスライドのように横方向に移動させる、という点に本質が存する他のいくつかの機械技術的解決方法とは明らかに異なる。
【０００６】
本発明の１つの側面において、移動弁部材は、通路閉位置においてはフィードダクトの出口に形成された固定弁シートに耐漏洩様態で受け接触し、通路開位置においては前記シートから離れた状態を保つこととする。
【発明の効果】
【０００７】
効果的な構成として、移動部材は、スプリング手段によって開位置に弾性的に押しやられることとする。実際的な実施の形態において、力変換手段はカムシステムを有することとする。効果的な構成として、カムシステムは、移動部材に固着されたカム部材と駆動手段に形成されたカムピースとを有することとする。好ましい構成として、カムピースは、並進移動することができ、カム部品に対して横切る形で移動が可能であることとする。しかし、変形例において、カムピースは、回転移動することができ、カム部品に対して横切る形で移動が可能であることとする。
【０００８】
前者の場合において、駆動手段は引出しまたはスライドの様態で並進移動することができる。後者の場合において、駆動手段は、軸を中心に回すことができる車輪の形にすればよい。
本発明の別の側面において、駆動手段は、ディスペンサの外部からアクセスできる制御部品をさらに有することとする。制御部品は、押したり引いたりすることのできるボタンまたはノブの形にしてもよいし、または指を使って回すことができる車輪の外周の一部分という形にすればよい。
【０００９】
本発明の別の実施の形態において、ディスペンサは、前記少なくとも１つの投与開口部の前または後ろにおいて選択的に所定の位置に来て当該開口部を閉じる働きをする閉鎖部材を有することとする。この閉鎖部材は、前記投与開口部の周囲の面と直接接触し、フィードダクト１２と開口部との間の通路を閉じる。この閉鎖部材は、弁に類似した機能を有するため、弁に関わりなく実装してもよい。効果的な構成として、カムピースと閉鎖部材とは、共に移動させられることとする。したがって、駆動手段を駆動することで、フィードダクトおよび投与開口部の両方が閉鎖される。
【００１０】
効果的な実施の形態において、駆動手段は、一体化された単一部品として作られていることとする。
本発明の別の側面において、移動部材は支持部品に固着されており、当該支持部品には、流体を滲み込ませることができる多孔性素材の部品が設置されており、前記部品は弾性的に押しやられて前記少なくとも１つの投与開口部と接触することとする。
【００１１】
効果的な構成として、支持部品には、多孔性素材の部品を前記少なくとも１つの投与開口部に押し付けると同時に、移動部材を通路開位置に押しやる共通スプリング手段が設けられていることとする。
効果的な構成として、支持部品には、ダクトの出口を多孔性素材の部品に接続している出口チャネルが形成されており、移動部材は前記チャネルの内部に設置されていることとする。
【００１２】
効果的な構成として、チャネルは、移動部材と多孔性素材の部品とを移動させることを可能にする弾性変形可能な部分を有することとする。
効果的な構成として、支持部品には、固定された形で保持された外周エッジを有する弾性変形可能な隔壁が設けられており、前記隔壁は、移動部材と多孔性素材の部品とを軸方向に並進移動させることとする。したがって、支持部品は、移動部材、共通スプリング手段、出口チャネル、多孔性素材の部品のための支持体、そして弾性的に変形可能な隔壁が一体化された単一部材として、一体的に製造してもよい。
【００１３】
好ましい実施の形態において、流体の中に振動を発生させる振動プレートをさらに有し、効果的な構成として、前記プレートは圧電素子によって振動させられることとする。
効果的な構成として、前記少なくとも１つの投与開口部は、振動プレートを貫通する形で形成されていることとする。完全に機械的な制御手段によって制御されるこうした吸入弁の使用は、効果的な構成としてスプレーの形で流体を投与するために穴が開いた振動プレートをディスペンサが有している場合に、特に効果的である。このことは、ディスペンサが使用されていない時に流体が漏洩する危険を排除する。
【発明を実施するための最良の形態】
【００１４】
以下、本発明の実施の形態の非限定的な例を示す添付図面を参照しながら、本発明に関してさらに詳細に説明する。
図１に示す本発明の流体ディスペンサは、下側壁または底面１３とドーム形の上側壁１１とを有する容器１を有し、両者の間には容器の動作空間が規定されている。当然のことながら、容器のこの特定の形状は限定的と考えるべきではなく、容器は、本発明の範囲を逸脱しない形でいかなる形状にしてもよい。また、容器の上側壁１１には駆動ボタン８が設けられており、当該ボタンは以下に説明するように電気式駆動ボタンである。さらに、上側壁１１の駆動ボタン８の下には、通気路を形成することができる。
【００１５】
ディスペンサは、下側シェル５をさらに有しており、当該シェルの上には、容器１が設置されて、下側壁１３と下側シェル５との間に複数の仕切りが形成される形となっている。下側シェル５は実質的に平らな下側壁５０を有し、当該壁は、ディスペンサが実質的に平らな面に置かれて立てられる際の接地面として働く。下側シェル５には周縁エッジ５１がさらに設けられており、当該エッジには容器１が固定されている。下側壁１３と下側シェル５との間に形作られた仕切りの中には、ディスペンサを制御することを可能にする制御電子回路７を格納している仕切りがある。隣接する仕切りの中に、ディスペンサに電力を供給するためのバッテリ７１が２つある。さらに、図１に示すように、ディスペンサの右側部分にフィードダクト１２が形成されており、当該フィードダクトは、ディスペンサから流体を投与することを可能にする複合投与部材に流体を供給できるよう容器１から通じている。投与部材は、ダクト１２の出口と下側シェル５のエッジ５１に形成された窓５２との間に配置されている。複合投与部材は、図２乃至５の中で拡大され異なった角度から見た状態で示されており、これらの図は、投与部材を休止状態と使用状態とにおいてずれた切断面に沿って示している。そのため、以下、図２乃至５を参照しながら、本発明の複合投与部材の構造と動作とについて詳細に説明する。
【００１６】
本発明のこの非限定的な実施の形態において、複合投与部材は振動プレート２を有し、この例において当該プレートには効果的な構成として、複数の投与開口部２２の形で穴が開けられている。投与開口部２２については、たとえば複数の投与開口部を行と列とで成る格子状配列の形で並べることにしてもよい。振動プレートは、ある程度まで可撓性があり、圧電素子などの振動発生素子または超高周波において共振する超音波素子などの共振素子と結合させることができる。しかし、好ましい構成として、振動プレートを非圧電レイヤーと結合された圧電レイヤーによって構成し、結果として生じたプレートは、所定の電流と所定の周波数とが供給された時点で屈曲により変形する、という形にしてもよい。プレート２は下側シェル５のエッジ５１に接触して固定される形で、その周縁エッジ２１において保持されている。したがって、振動プレートは、適切な電流、電圧、そして周波数が供給されると、可撓変形現象によって振動し始め、それによって流体の微細な滴を投与開口部２２の配列から噴出する。当然のことながら、この目的のため、容器１から来る流体は振動プレート２の後面（すなわち、ディスペンサの内側の方を向いている面）に供給される必要がある。ディスペンサの外側の方を向いている面は、下側シェル５に形成されたウィンドウ５２の位置にある。
【００１７】
流体を振動プレート２の後面に供給するため、フィードダクト１２の出口端１２１は、ダクト１２をプレート２に接続する出口チャネル３２を介して振動プレート２の後面に連絡している。出口チャネル３２は、支持部品３の一体部分であるスリーブ３３によって形成されている。さらに厳密に言えば、フィードダクト１２の出口端１２１はリング６の中で係合している。リングはその外周エッジ６３において下側シェル５のエッジ５１と係合している。リング６にはエンドピース６２が形成されており、当該エンドピースの内部にはダクト１２の端部１２１が耐漏洩様態で係合している。さらに、エンドピース６２には吸入弁シート６１が形成されており、当該シート６１はダクト１２の端部１２１のすぐ後ろの位置にある。支持部品３には耐漏洩様態の固定カラー３４１が形成されており、当該カラー３４１はリング６のエンドピース６２の周囲に係合している。カラー３４１は、内部に出口チャネル３２が形作られたスリーブ３３の上流端を形成している。支持部品３には弾性変形が可能な部分３４が形成されているが、当該部分はそれにもかかわらず形状記憶を有し、それによって戻しスプリング機能を実現する。スリーブ３３のうちこの戻しスプリング部分３４より先の位置には、さらに剛性があり、そのため実質的に変形不可能な部分が形成されており、この部分の内部には、移動弁部材として働くニードル３１が形成されており、当該ニードルは、リング６に形成された弁シート６１と耐漏洩様態で選択的に受け接触するよう作られている。図２および３において、ニードル３１はシート６１から離れているが、図４および５において、ニードルはそのシート６１と耐漏洩様態で接触している。本発明においては、戻しスプリング部分３４の力によってニードル３１はシート６１から遠ざかり、その結果、ダクト１２の出口の位置に流体のための通路が開けられる。この状態は、投与部材が駆動位置または使用位置にある状態に対応している。移動弁部材として働くニードル３１が占めるのは、スリーブ３３の断面の一部分であり、その結果、環状の通路がニードル３１とスリーブ３３との間に形成され、ダクト１２から来る流体はニードル３１を越えて振動プレート２の方へ行くことが可能となる。スペーサがニードルをスリーブに接続することにしてもよい。
【００１８】
支持部品３にはさらに、多孔性素材の部品３０のための固定リセス３５が形成されている。固定リセス３５は、スリーブ３３の下流端に形成されている。リセス３５の中に固定された形で収容されている多孔性素材の部品３０は、チャネル３２の出口を閉じており、そのため、ダクト１２から来てニードル３１の周囲を通る流体は必ず多孔性素材の部品３０の中に浸透することになる。このようにして、多孔性素材の部品３０は、流体が滲み込んだ状態又は充満した状態になる。好ましい構成として、多孔性素材の部品３０は毛細管現象による吸収特性を有する。多孔性素材の部品３０は、支持部品３によって形成される戻しスプリング部分３４の力に押されて、投与開口部が形成された振動プレート２の後面と接触した状態になる。したがって、戻しスプリング部分３４の力は、ニードル３１をそのシート６１から遠ざけると共に、多孔性素材の部品３０を押して穴の開いた振動プレート２に接触した状態にする。
【００１９】
また、支持部品３には花冠状の隔壁３６が形成され、当該隔壁は固定リセス３５から径方向外向きに延びており、その外周には固定ビード３６１が形成され、リング６と振動プレート２の周縁エッジ２１との間に係合している。さらに厳密に言えば、リング６の固定エッジ６３はビード３６１を振動プレート２の周縁部２１に押しつけて、これに受け接触させている。隔壁３６は戻し部分３４を助ける弾性戻し機能を有する、という形にしてもよい。しかし、隔壁３６はさらに別の機能も有する。それは、多孔性素材の部品３０が、必ず同じ位置で振動プレート２と接触するように、そして、プレート２の面に対して垂直方向の軸に沿って移動できるようスリーブ３３を誘導または一直線上に保持する機能である。多孔性素材の部品３０が移動する際の軸は、ニードル３１が移動する際の軸と一致する。このように軸方向に並進移動するスリーブ３３は、部分３４および隔壁３６の弾性変形特性によって可能となる。しかし、スリーブ３３はその両端、すなわちカラー３４１およびビード３６１において固定された形で保持されている。
【００２０】
上記のように、移動弁部材すなわちニードル３１と多孔性素材の部品３０との両方を支持する支持部材３は、振動プレート２の面に対してほぼ垂直な軸に沿って軸方向に並進移動することができる。
本発明の複合投与部材は駆動手段４をさらに有し、当該駆動手段は、スリーブ３３を最初の第１の位置と最後の第２の位置との間で移動させることを可能にする。当該第１の位置において、多孔性素材の部品３０は振動プレートと接触しており、ニードル３１はシート６１から離れている。当該第２の位置において、ニードル３１はシート６１と耐漏洩様態で受け接触し、多孔性素材の部品３０は振動プレート２の後面から離れている。駆動手段４は、電気エネルギーや電磁エネルギーを使わない機械駆動手段である。駆動手段４は、スリーブ３３が移動する際の軸を横切る形かつ好ましい構成としてその軸に対して垂直方向の面において、当該支持部品３のスリーブ３３に対して移動させることができる。図示された実施の形態において、駆動手段４は駆動アーム４１を有し、当該アームは、弁部材と多孔性素材の部品とが移動する際の軸に対して垂直の駆動軸に沿ってスライド移動することで並進移動するよう作られている。駆動アーム４１は支持部品３と協働し、力変換システムを形成する。これは、ある軸に沿って加えられた力を、その軸を横切る形かつ好ましくはそれと直角をなす形の他の軸に沿って加えられる力に変換することを可能にするものである。さらに厳密に言えば、この例において、力変換システムはカムシステムの様態をしており、一方の部分は駆動部材４によって、もう一方の部分は支持部品３によって形成されている。図示された実際的な実施の形態において、駆動アーム４１には全体的に二又フォークの形をしたカムピース４２が形成されている。カムピース４２の尖った先のそれぞれには傾斜したカム表面４３が形成されている。カムシステム４２に形成されたこれら２つの尖った先は、互いに間隔をおかれ、駆動アーム４１がスリーブ３３の方へ移動するとスリーブ３３が当該２つの尖った先の間に収容されることになる、という形で配置されている。これに対応する形で、支持部品３には２つの部品３７が形成されており、これらは２つのくさびの形をしていて、それぞれにカム表面３７１が形作られている。カム部品３７を形成する２つのくさびは、図１０、１１、そして１２から見てとれるようにスリーブの両側に１つずつ配置されている。駆動アーム４１については、カム表面４３がカム表面３７１に接触し、これら表面が一定の距離にわたって互いに対しスライド移動する間も接触し合った状態を保つ、という形で並進移動させることができる。このように、アーム４１が支持部品３の方へ移動している間に、カム表面４３が備えられたカムピース４２は、スリーブ３３が沿って移動できる軸に沿ってカム部材３７を並進運動させる。この並進運動はフィードダクト１２の方に向かって生じ、それによってニードル３１は移動してそのシート６１に接触し、多孔性素材の部品３０は移動して振動プレート２の後面から離れることになる。カムピース４２は、当業技術者なら誰でも容易に理解できるように、全く従来通りの方法でカム部品３７に作用する。戻しスプリング部分３４は、カム部材３７の移動中、弾性変形され、駆動アーム４１が引き下げられて支持部材３に形成されたカム部品３７を解放しない限り圧力を受けた状態のままとなる。図２および３に見られるカムアーム４１は支持部品３と係合しておらず、そのためニードル３１はそのシート６１から離れており、多孔性素材の部品３０は振動プレート２の後面と接触している。図２はニードル３１を通る断面図であり、図３はカムシステム４３に形成された尖った先とカム部品３７に形成されたくさびとを通る断面図である。対して、図４および５は、駆動アーム４１を前進して支持部品３と係合している状態において示している。図４は、ニードル３１を通る断面図であり、図５はカムシステム４３に形成された尖った先とカム部品３７に形成されたくさびとを通る断面図である。
【００２１】
カムシステム４２は、カム部品３７と固定リセス３５との間に収容される。
駆動手段４は駆動部品４５をさらに有し、駆動手段４は当該駆動部品を介して手動または機械的に駆動することができる。例えば、制御部品４５については、図１から見てとれるように、下側シェル５の底部５０に設けられた開口部５３を通してディスペンサの外部からアクセスできるようにしてもよい。したがって、駆動手段４は、ディスペンサが平らな面の上に置かれた場合は必ず自動的に駆動される。このように、ディスペンサが休止状態にある場合は必ず、駆動手段は移動され、それによって、カムシステム４３はカム部品３７と係合し、ニードル３１をそのシート６１に押し付けて耐漏洩様態で受け接触させる。これとは逆に、ディスペンサが持ち上げられた場合は必ず、駆動手段はスプリング４４によって弾性的に動かされ、カムシステム４３をカム部品３７から外す形となり、その結果、ニードル３１は、それ自体がそのシート６１から外れて、多孔性素材の部品３０が振動プレート２の後面と接触している、という状態に戻ることができる。何らかの種類の加湿手段（図示せず）を設ければ、駆動手段をスプリング４４からのドライブに対抗する形で押込み位置または係合位置で保持することができる。これは、単に１つの特定の実施の形態にすぎない。当然のことながら、制御部品４５はディスペンサのどの位置においてもよい。たとえば、制御部材はユーザが指を用いて手動で駆動することにしてもよい。
【００２２】
本発明の別の特徴によれば、ディスペンサは、穴の開いた振動プレートの前または後ろ（さらに一般的に言えば、前記投与開口部の前または後ろ）に位置づけることが可能な閉鎖部材４６を有する。閉鎖部材は、弁軸または垂直軸に沿って移動できる。実際的な実施の形態によれば、駆動手段４には閉鎖フラップ４６がさらに形成されており、当該フラップは並進的にスライド移動し、穴の開いた振動プレート２の前の位置までくることができる。制御部品４５を駆動することで、閉鎖フラップ４６はアーム４１と共に移動される。したがって、カムシステム４３がカム部品３７と係合していれば、閉鎖フラップ４６は振動プレート２の前の位置にある。この状態は図４および５に示されている。当然のことながら、この状態は流体ディスペンサが休止位置にある状態に対応している。閉鎖部材は、弁の代わりに実装しても弁と共に実装してもよい。閉鎖部材または閉鎖フラップはスリーブ８３に固定してもよい。
【００２３】
留意すべき点として、多孔性素材の部品もまた、休止位置において流体製品を振動プレートから隔てた状態に保つという点において、閉鎖機能を備えている。
効果的な構成として、図８および９からはっきりと見てとれるように、駆動手段４は、好ましい構成として一体的に射出成形されたプラスチックで作られている。同じことは支持部品にも当てはまり、これらは熱可塑性エラストマーなどの可撓性プラスチック素材を一体的に射出成形して作ることができる。支持部品は、図６および７において、異なる角度からはっきりと見ることができる。駆動手段４と支持部品３とがどのように協働するかは、図１１乃至１３を参照すれば容易に理解できる。
【００２４】
上述した駆動手段４の代わりに、たとえば車輪の形の回転駆動手段を用いることができる。その場合、当該車輪の面のうち１つにはカムトラックを形成し、その１つの面とは、支持部品３に形成された対応するカム部品と係合するのに適したものである、という形にする。このようにすれば、車輪を回すと、その周縁部の一部がディスペンサの外部からアクセスできる状態となり、支持部品３のカム部品は、押されることでニードルを移動させ、ニードルをそのシートと係合させる。
【００２５】
本発明により、流体ディスペンサはそのフィードダクト１２の出口において漏洩する可能性がない、ということが保証される。
【図面の簡単な説明】
【００２６】
【図１】本発明の流体ディスペンサの全体断面図である。
【図２】本発明の流体ディスペンサの投与部分を使用状態において示す拡大縦断面図である。
【図３】図２と同様の図であって、図２の断面に対してわずかにずれた位置にある切断面に沿って見た図である。
【図４】図２と同様の図であって、図２と同じ切断面において、ディスペンサが駆動状態にある時点での図である。
【図５】図３と同様の図であって、休止状態における図である。
【図６】本発明のディスペンサに用いられる支持部品の斜視図である。
【図７】支持部品の別の斜視図である。
【図８】本発明のディスペンサを駆動させるための駆動手段を、ある角度から見た斜視図である。
【図９】本発明のディスペンサを駆動させるための駆動手段を、図８とは別の角度から見た斜視図である。
【図１０】支持部品と駆動手段とを駆動状態において示す斜視図である。
【図１１】図１０と同様の斜視図であって、未使用の休止状態において示す図である。
【図１２】図１１と同様の別の斜視図である。
【図１３】図１０と同様の別の斜視図である。
【図１】
2006518275.tif 000003
【図２】
2006518275.tif 000004
【図３】
2006518275.tif 000005
【図４】
2006518275.tif 000006
【図５】
2006518275.tif 000007
【図６】
2006518275.tif 000008
【図７】
2006518275.tif 000009
【図８】
2006518275.tif 000010
【図９】
2006518275.tif 000011
【図１０】
2006518275.tif 000012
【図１１】
2006518275.tif 000013
【図１２】
2006518275.tif 000014
【図１３】
2006518275.tif 000015
【国際調査報告】
2006518275.tif 000016
2006518275.tif 000017
2006518275.tif 000018
2006518275.tif 000019